(57)【要約】【課題】ホルダが不正姿勢のまま放置される事態を回避することが可能なコネクタを提供する。【解決手段】コネクタ１０Ａは、筒部２２を有するハウジング２０と、筒部２２に液密に内嵌されるシール部材８０と、筒部２２に外嵌される周壁６２を有するとともに、シール部材８０の後方への抜け出しを規制する後壁６１を有するホルダ６０と、ホルダ６０から引き出された電線１００を覆うように配置され、筒部２２に対して周壁６２が正規姿勢で設置されている場合には周壁６２に外嵌されてハウジング２０に取り付けられ、筒部２２に対して周壁６２が傾いた状態となる不正姿勢で設置されている場合にはホルダ６０に干渉してハウジング２０への取り付けが規制される電線カバー５０とを備える。【選択図】図１
2016207416.tif 000002
【特許請求の範囲】
【請求項１】
電線に接続される端子金具と、
前記端子金具を後方から挿入可能なキャビティが形成されたハウジング本体を有するとともに、前記ハウジング本体から後方に突出して形成された筒部を有するハウジングと、
前記筒部に液密に内嵌され、前記キャビティと連通する位置に、前記電線を液密に挿入可能なシール孔が形成されたシール部材と、
前記筒部に外嵌される周壁を有するとともに、前記シール部材の後方への抜け出しを規制する後壁を有し、前記後壁における前記シール孔と連通する位置に、前記電線を遊嵌して挿入可能な貫通孔が形成されたホルダと、
前記ホルダから引き出された前記電線を覆うように配置され、前記筒部に対して前記周壁が正規姿勢で設置されている場合には前記周壁に外嵌されて前記ハウジングに取り付けられ、前記筒部に対して前記周壁が傾いた状態となる不正姿勢で設置されている場合には前記周壁に干渉して前記ハウジングへの取り付けが規制される電線カバーとを備えることを特徴とするコネクタ。
【請求項２】
前記筒部の外面には、カバーロック部が突出して設けられ、前記周壁には、前記カバーロック部が嵌合可能な嵌合溝が設けられ、前記電線カバーには、前記カバーロック部に係止されるハウジングロック部が設けられていることを特徴とする請求項１記載のコネクタ。
【発明の詳細な説明】
【技術分野】
【０００１】
本発明は、コネクタに関する。
【背景技術】
【０００２】
コネクタは、端子金具が挿入されるキャビティを有する端子収容部及び端子収容部から後方に突出する筒状の収容凹部を有するハウジングと、筒部に液密に内嵌され、端子金具に接続された電線を液密に挿入可能なシール孔が形成された一括ゴム栓と、電線を遊嵌して挿入可能な貫通孔が形成されていてハウジングに取り付けられるゴム栓ホルダ（以下、ホルダという）と、貫通孔から引き出された電線を覆うようにハウジングに取り付けられる電線カバーとを備えている。組み付けに際し、ハウジングに一括ゴム栓とホルダとが組み付けられ、キャビティに端子金具が挿入された後、ハウジングに電線カバーがスライドして装着されるようになっている。
【先行技術文献】
【特許文献】
【０００３】
【特許文献１】特開２０１３−２０７７４号公報
【発明の概要】
【発明が解決しようとする課題】
【０００４】
ところで、上記の場合、ホルダがハウジングに正規姿勢で取り付けられることにより、一括ゴム栓のハウジングからの抜け出しが規制され、ひいては一括ゴム栓による所定のシール性を確保することが可能となる。しかし、仮に、ホルダがハウジングに対して傾いた状態となる不正姿勢をとって設置され、その状態で電線カバーがハウジングに取り付けられるとすると、ホルダが電線カバーに隠れて見えないことから、ホルダが不正姿勢であることに気付かないおそれがある。
【０００５】
本発明は上記のような事情に基づいて完成されたものであって、ホルダが不正姿勢のまま放置される事態を回避することが可能なコネクタを提供することを目的とする。
【課題を解決するための手段】
【０００６】
本発明は、電線に接続される端子金具と、前記端子金具を後方から挿入可能なキャビティが形成されたハウジング本体を有するとともに、前記ハウジング本体から後方に突出して形成された筒部を有するハウジングと、前記筒部に液密に内嵌され、前記キャビティと連通する位置に、前記電線を液密に挿入可能なシール孔が形成されたシール部材と、前記筒部に外嵌される周壁を有するとともに、前記シール部材の後方への抜け出しを規制する後壁を有し、前記後壁における前記シール孔と連通する位置に、前記電線を遊嵌して挿入可能な貫通孔が形成されたホルダと、前記ホルダから引き出された前記電線を覆うように配置され、前記筒部に対して前記周壁が正規姿勢で設置されている場合には前記周壁に外嵌されて前記ハウジングに取り付けられ、前記筒部に対して前記周壁が傾いた状態となる不正姿勢で設置されている場合には前記ホルダに干渉して前記ハウジングへの取り付けが規制される電線カバーとを備えるところに特徴を有する。
【発明の効果】
【０００７】
ホルダがハウジングの筒部に外嵌される周壁を有し、筒部に対して周壁が傾いた状態となる不正姿勢で設置されている場合には、電線カバーがホルダに干渉してハウジングへの取り付けが規制されるため、電線カバーの取り付けが規制されることをもってホルダが不正姿勢で設置されていることを検知することができ、ホルダが不正姿勢のまま放置される事態を回避することができる。
【図面の簡単な説明】
【０００８】
【図１】本発明の実施例１に係るコネクタにおいて、ハウジングが相手ハウジングに正規嵌合された状態を側方から見た断面図である。
【図２】ハウジングが相手ハウジングに正規嵌合された状態を下方から見た断面図である。
【図３】ハウジングの筒部にホルダが外嵌された状態を下方から見た図である。
【図４】ハウジングに電線カバーが取り付けられた状態を上方から見た図である。
【図５】ハウジングの筒部にシール部材が内嵌された状態を後方から見た図である。
【図６】ハウジングの筒部にホルダが外嵌された状態を後方から見た図である。
【図７】ハウジングに電線カバーが取り付けられた状態を後方から見た図である。
【発明を実施するための形態】
【０００９】
本発明の好ましい実施形態を以下に示す。
前記筒部の外面には、カバーロック部が突出して設けられ、前記周壁には、前記カバーロック部が嵌合可能な嵌合溝が設けられ、前記電線カバーには、前記カバーロック部に係止されるハウジングロック部が設けられている。例えば、筒部に対する周壁の取り付けの向きが正規と逆向きであると、周壁の嵌合溝にカバーロック部が嵌合できないため、電線カバーが取り付けられる前に、ホルダが逆向き姿勢で誤って取り付けられる事態を未然に防止することができる。また、こうしたホルダの誤取り付けが電線カバーを係止するカバーロック部によって防止されるため、カバーロック部とは別に専用の誤取付防止構造が設けられるよりも、構成を簡素化することができる。
【００１０】
＜実施例１＞
以下、実施例１を図面に基づいて説明する。図１に示すように、実施例１のコネクタ１０Ａ、１０Ｂは、電線１００の端末部に接続される端子金具９０と、端子金具９０を収容可能なハウジング２０と、ハウジング２０に収容されるシール部材８０と、ハウジング２０に取り付けられてシール部材８０の抜け止めをなすホルダ６０と、ホルダ６０に続いてハウジング２０に取り付けられる電線カバー５０とを備えている。ハウジング２０は、相手ハウジング２００に嵌合可能とされている。また、ハウジング２０とホルダ６０と電線カバー５０とをまとめてコネクタ本体３００と呼称する。なお、以下の説明において、前後方向については両ハウジング２０、２００が嵌合開始時に互いに向き合う面側を前側とし、上下方向については図１を基準とする。また、幅方向は図２〜図７の左右方向と同義である。
【００１１】
相手ハウジング２００は合成樹脂製であって、図３に示すように、幅方向に沿った平板状の基壁部２０１と、図１に示すように、基壁部２０１の幅方向両側の領域から前方に突出する一対の筒状のフード部２０２とを備えている。両フード部２０２は、相互の幅寸法を異にして構成されている。
【００１２】
図１に示すように、フード部２０２内には、複数本の相手端子金具２１０の雄タブ２１１が突出して配置されている。相手端子金具２１０の雄タブ２１１は、基壁部２０１を貫通した状態で、フード部２０２の後方に突出し、フード部２０２の後方にて下向きに屈曲して下端部がプリント回路基板２２０に挿入接続されている。
【００１３】
コネクタ１０Ａ、１０Ｂは、両フード部２０２に個別に対応して設けられ、相互の幅寸法を異にして構成されている。以下においては、特に断らない限り、幅寸法を異にする大型及び小型の両コネクタ１０Ａ、１０Ｂのうち、大型のコネクタ１０Ａについて説明する。また、両コネクタ１０Ａ、１０Ｂの大きさの違いなどに関わらず、同一又は相当する部位には同一符号を付すものとする。
【００１４】
ハウジング２０は合成樹脂製であって、図１及び図２に示すように、略角ブロック状のハウジング本体２１と、ハウジング本体２１の後端部の外周から後方に一体に突出する筒状の筒部２２と、筒部２２がハウジング本体２１に連なる部位から外側に一体に張り出す連結部２３と、連結部２３の張り出し端部（外端部）から前方に一体に突出してハウジング本体２１の外周を包囲する筒状の外筒部２４とを有している。ハウジング本体２１と外筒部２４との間で、且つ連結部２３の前方の空間に、相手ハウジング２００のフード部２０２が嵌合可能とされている。
【００１５】
図２及び図３に示すように、外筒部２４の幅方向両端の外面には、一対の略円柱状の支軸２５が突出して設けられている。両支軸２５には、レバー３０が回動可能に取り付けられている。図５に示すように、レバー３０は、幅方向に延出する操作部３１と、操作部３１の幅方向両端から互いに平行に突出する一対のアーム部３２とを有し、ハウジング２０に上方から跨るようにして取り付けられる。両アーム部３２が相手ハウジング２００のフード部２０２と係合した状態で、操作部３１を摘まみつつレバー３０が回動されることにより、両ハウジング２０、２００が互いに嵌合されるようになっている。この場合、レバー３０は、操作部３１がハウジング２０の上方に配置される初期位置（図４〜図７を参照）から操作部３１が電線カバー５０の後方に配置される嵌合位置へと回動されるようになっている。
【００１６】
また、図１及び図２に示すように、ハウジング本体２１の外面には、前方からシールリング３５が嵌着されている。シールリング３５は、両ハウジング２０、２００の正規嵌合時にハウジング本体２１とフード部２０２との間に弾性的に挟持され、両ハウジング２０、２００間を液密にシールする役割を果たす。そして、シールリング３５は、ハウジング本体２１の外面に形成された段差２６と、後述するフロントリテーナ３６との間に挟まれ、もって前後方向に略位置決めして配置されるようになっている。
【００１７】
図１に示すように、ハウジング本体２１には、各相手端子金具２１０と対応する位置に、複数のキャビティ２７が前後方向に延出して設けられている。各キャビティ２７の内壁には、撓み可能なランス２８が前方に突出して設けられている。そして、各キャビティ２７には後方から端子金具９０が挿入され、正規挿入された端子金具９０がランス２８に弾性的に係止されて抜け止めされるようになっている。
【００１８】
また、図１に示すように、ハウジング本体２１には、前方からフロントリテーナ３６が組み付けられる。ハウジング本体２１にフロントリテーナ３６が正規に組み付けられることにより、フロントリテーナ３６に設けられた抜止突部３７がランス２８の撓み空間に進入してランス２８の撓み動作が規制され、もって端子金具９０が実質的に二重係止されるようになっている。
【００１９】
端子金具９０は導電性の金属板を曲げ加工などして一体に成形され、図１に示すように、前後方向に細長い筒状の接続部９１と、接続部９１の後方に連なるオープンバレル状のバレル部９２とを有している。接続部９１には、両ハウジング２０、２００の正規嵌合時に相手端子金具２１０の雄タブ２１１が挿入されて接続される。また、バレル部９２は、電線１００の前端部に圧着されて接続されるようになっている。
【００２０】
筒部２２は、略角筒状をなし、図５に示すように、幅方向に互いに平行に延出する一対の長辺壁２９と、上下方向に互いに平行に延出する一対の短辺壁３３と、四隅部で両長辺壁２９と両短辺壁３３とをつなぐ弧状の丸角壁３４とを有している。筒部２２内には、後方からシール部材８０が挿入されて収容されるようになっている。
【００２１】
シール部材８０はシリコンゴムなどのゴム製であって、筒部２２に内嵌されてハウジング本体２１の後面を覆うことが可能な大きさのマット状に形成されている。図１に示すように、シール部材８０の外周面には、前後方向に複数条の外周リップ８１が周回して設けられている。また、シール部材８０には、各キャビティ２７と対応して連通する位置に、複数の断面円形のシール孔８２が前後方向に貫通して設けられている。そして、シール孔８２の内周面には、前後方向に複数条の内周リップ８３が周回して設けられている。シール部材８０が筒部２２内に正規挿入されると、筒部２２の内周面に外周リップ８１が弾性的に密着し、筒部２２内が液密にシールされるようになっている。また、シール孔８２には、端子金具９０がキャビティ２７に正規挿入された状態で、端子金具９０に接続された電線１００が挿入される。シール孔８２に電線１００が挿入された状態では、内周リップ８３が電線１００の外周面に弾性的に密着し、電線１００周りが液密にシールされるようになっている。
【００２２】
図５に示すように、筒部２２の両長辺壁２９の外面には、その幅方向両側の領域に、一対ずつのホルダロック部３８が突出して設けられている。図１に示すように、ホルダロック部３８は、全体として爪状をなし、ホルダ６０の後述するホルダロック受部６７に係止可能とされている。
【００２３】
また、図５に示すように、筒部２２の両短辺壁３３のうち、一方の短辺壁３３（小型のコネクタ１０Ｂと向き合う側の短辺壁３３）の外面には、その上下方向略中央の後端部に、カバーロック部３９が突出して設けられている。図２に示すように、カバーロック部３９は、全体として爪状をなし、電線カバー５０の後述するハウジングロック部７３に係止可能とされている。カバーロック部３９の上下寸法及び突出寸法は、それぞれ、ホルダロック部３８の幅寸法及び突出寸法よりも大きくされている。
【００２４】
図５に示すように、連結部２３の後面には、その幅方向一端側の領域（小型のコネクタ１０Ｂから離れた端部側の領域）の上下位置に、一対の弾性ロック部４１が後方に突出して設けられている。このコネクタ１０Ａの場合、弾性ロック部４１は、ホルダロック部３８と対向する位置に近接して配置されている。図１に示すように、、弾性ロック部４１は、連結部２３の後面から後方に延出する撓み可能な弾性ロック本体４２と、弾性ロック本体４２の延出端から外側（上側又は下側）に突出する爪状のロック突起４３とからなる。ロック突起４３は、弾性ロック本体４２の撓み動作を伴った後、電線カバー５０の後述する弾性ロック受部７２に係止可能とされている。
【００２５】
また、図１に示すように、連結部２３の後面には、弾性ロック部４１と対応する位置に、この弾性ロック部４１を外側から覆う保護壁４４が起立して設けられている。図５に示すように、保護壁４４は、弾性ロック部４１が筒部２２と対向する面を除く領域を包囲するように背面視略角Ｕ字形に形成されている。
【００２６】
ホルダ６０は合成樹脂製であって全体としてキャップ状をなし、図１及び図２に示すように、シール部材８０の後面を覆うことが可能な後壁６１と、後壁６１の外周から前方に突出して筒部２２に外嵌可能な周壁６２とを有している。後壁６１は、ハウジング２０の筒部２２内に進入する前後方向に厚肉の厚肉部６３を有している。図２に示すように、ホルダ６０の後面には、厚肉部６３と周壁６２との間に、筒部２２の先端部が進入可能な進入溝６４が全周に亘って設けられている。
【００２７】
図１に示すように、ホルダ６０の後壁６１には、各シール孔８２と対応して連通する位置に、複数の断面略円形の貫通孔６５が前後方向に貫通して設けられている。各貫通孔６５には、シール孔８２から延出する電線１００が遊嵌して挿入されるようになっている。後壁６１（コネクタ本体３００）の後面は、上下方向にほぼ沿って配置され、各貫通孔６５から電線１００が引き出される電線引出面６６として構成される。
【００２８】
図６に示すように、ホルダ６０の周壁６２には、筒部２２の各ホルダロック部３８と対応する位置に、複数のホルダロック受部６７が貫通して設けられている。図３に示すように、ホルダロック受部６７は、前後方向に延出して後壁６１の後面に開口する形態になっている。ここで、ホルダ６０は、周壁６２の撓み動作を伴った後、ホルダロック受部６７にホルダロック部３８が弾性的に嵌り込むことで、ハウジング２０に抜け止めして保持されるようになっている。また、こうしてホルダ６０がハウジング２０に正規に取り付けられることにより、図１及び図２に示すように、後壁６１の厚肉部６３とハウジング本体２１との間にシール部材８０が前後方向に略位置決めして保持されるようになっている。さらに、ホルダ６０がハウジング２０に正規に取り付けられた状態では、進入溝６４に筒部２２の先端部が嵌り込むとともに、周壁６２が筒部２２に適合して外嵌される。そして、周壁６２の先端は、連結部２３に近接して配置されるようになっている。
【００２９】
図２に示すように、ホルダ６０の周壁６２には、カバーロック部３９と対応する位置に、この周壁６２を前後方向のほぼ全長に亘って切除した形態の嵌合溝６８が設けられている。ホルダ６０がハウジング２０に正規に取り付けられると、嵌合溝６８にカバーロック部３９が嵌合して挿入され、嵌合溝６８から幅方向一端外方にカバーロック部３９の先端部が突出して配置される（図３を参照）。
【００３０】
続いて電線カバー５０について説明する。電線カバー５０は同じく合成樹脂製であってキャップ状をなし、ホルダ６０の後方を覆うようにハウジング２０に取り付けられる。図２に示すように、電線カバー５０は、後壁６１（コネクタ本体３００）の電線引出面６６と間隔をあけてほぼ平行に配置される背板部５１と、背板部５１の幅方向他端部（小型のコネクタ１０Ｂと向き合う側の端部）から前方に延出して配置される閉塞部５２と、閉塞部５２及び背板部５１の両縁から互いに略平行に張り出す一対の被覆部５３（図１を参照）とを有している。電線カバー５０のうち、閉塞部５２と反対側となる幅方向一端側（小型のコネクタ１０Ｂから離れる端部側）は、各電線１００の導出口５４として開放されている。
【００３１】
図２に示すように、各電線１００は、電線引出面６６から引き出されたあと電線カバー５０内で屈曲させられて背板部５１に沿って配置され、導出口５４から幅方向一端外方に導出させられる。なお、図４に示すように、小型のコネクタ１０Ｂの場合、背板部５１の幅方向一端側（大型のコネクタ１０Ａから離れる端部側）の部位が後方に突出しており、各電線１００が後方に導出させられるようになっている。
【００３２】
両被覆部５３には、図２及び図４に示すように、前端縁から幅方向一端縁に亘って切欠された形態の開口部５５が凹設されている。開口部５５は、前後方向に延びて被覆部５３の前端縁に臨む前後縁部５６と、幅方向に延びて被覆部５３の幅方向一端縁に臨む左右縁部５７と、前後縁部５６と左右縁部５７とをつなぐ円弧状の弧状縁部５８とで区画されている。
【００３３】
また、電線カバー５０には、開口部５５の左右縁部５７から背板部５１に跨る部位に、断面略Ｕ字形の取付部５９が幅方向一端側に突出して設けられている。取付部５９の外面には、前後方向に間隔をあけて一対のリブ７１が設けられ、両リブ７１間に、各電線１００を一括して束ねるタイバンドなどの結束バンド７５が略位置決めして取り付けられる。
【００３４】
両被覆部５３には、開口部５５と近接する位置に、図１に示すように、上下方向（両被覆部５３の対向方向）で対をなす弾性ロック受部７２が設けられている。弾性ロック受部７２は、全体として矩形孔状をなし、内部に、弾性ロック部４１のロック突起４３が嵌まり込むことが可能とされている。また、図２に示すように、閉塞部５２には、ハウジングロック部７３が設けられている。ハウジングロック部７３は、全体として矩形孔状をし、内部に、ホルダロック部３８が嵌り込むことが可能とされている。
【００３５】
電線カバー５０は、ハウジングロック部７３にホルダロック部３８が嵌り込み、弾性ロック受部７２に弾性ロック部４１のロック突起４３が嵌り込むことにより、ハウジング２０に離脱規制された状態で保持される。電線カバー５０がハウジング２０に取り付けられた状態では、図１に示すように、電線カバー５０の前端部がホルダ６０の周壁６２に外嵌され、両被覆部５３及び閉塞部５２が周壁６２の外面に沿って配置されるようになっている。
【００３６】
また、このコネクタ１０Ａの場合、図２及び図４に示すように、電線カバー５０がハウジング２０に取り付けられた状態では、上下方向（両被覆部５３の対向方向）から見て、開口部５５が電線引出面６６と幅方向で重なる位置に配置され、詳細には、開口部５５の前後縁部５６が電線引出面６６と略直角に交差して配置される。さらに、電線引出面６６の幅方向一端側の領域から引き出された各電線１００の一部と、ホルダ６０の幅方向一端側の領域とが、上下方向から見て開口部５５を通して露出して視認可能に配置される。一方、図４に示すように、小型のコネクタ１０Ｂの場合、上下方向から見て、電線引出面６６から引き出された各電線１００のほぼ全体が両被覆部５３によって覆われている。
【００３７】
次に、コネクタ１０Ａの組み付け方法及び作用効果について説明する。
組み付けに際し、まずハウジング２０の筒部２２に、後方からシール部材８０が挿入される（図５を参照）。シール部材８０が筒部２２に正規に内嵌されると、各外周リップ８１が筒部２２の内周面に弾性的に密着するとともに、シール孔８２がキャビティ２７と前後方向に連通して配置される。
【００３８】
続いて、ハウジング２０の筒部２２に、後方からホルダ６０の後壁６１の厚肉部６３が内嵌されるとともに、後方からホルダ６０の周壁６２が外嵌される。ハウジング２０にホルダ６０が正規に取り付けられると、ホルダ６０の各ホルダロック受部６７に筒部２２の各ホルダロック部３８が弾性的に嵌まり込み、ホルダ６０がハウジング２０に離脱規制された状態に保持される（図６を参照）。また、ホルダ６０の貫通孔６５がシール孔８２と前後方向に連通して配置され、厚肉部６３がシール部材８０の後面に当接することで、シール部材８０のハウジング２０からの抜け出しが規制される。
【００３９】
また、ホルダ６０の取り付け過程では、ホルダ６０の嵌合溝６８にカバーロック部３９が進入することにより、ホルダ６０の取り付け動作がガイドされる。一方、ホルダ６０がハウジング２０に対し、例えば、幅方向に逆向きの姿勢をとるなどし、ホルダ６０の取り付け姿勢が正規と異なる方向に向けられていると、ホルダ６０の周壁６２がカバーロック部３９と干渉し、ホルダ６０のハウジング２０への取り付けが規制される。つまり、カバーロック部３９は、ホルダ６０が誤って取り付けられるのを規制する誤取付防止部としての役割を兼備するものである。
【００４０】
次いで、ハウジング２０のキャビティ２７に、後方から端子金具９０が挿入される。キャビティ２７に端子金具９０が正規挿入されてランス２８によって係止された状態では、各内周リップ８３が電線１００の外周面に弾性的に密着してシール部材８０のシール孔８２に電線１００が液密に挿入されるとともに、ホルダ６０の後壁６１の貫通孔６５に電線１００が遊嵌して挿入される（図１を参照）。そして、電線１００が後壁６１の貫通孔６５を通して電線引出面６６から後方へ引き出される。
【００４１】
さらに、ハウジング２０に、後方から電線カバー５０が取り付けられる。取り付けに際し、カバーロック部３９がハウジングロック部７３に挿入され、その状態で電線カバー５０がカバーロック部３９を支点として電線引出面６６から離れる開放位置から電線引出面６６に近づく閉止位置へと回動させられる。こうして電線カバー５０がハウジング２０に正規に取り付けられると、両弾性ロック受部７２が対応する弾性ロック部４１に弾性的に係止され、電線カバー５０がハウジング２０に離脱規制された状態に保持される。こうして電線カバー５０は、ハウジングロック部７３と両弾性ロック受部７２の３箇所でハウジング２０に係止される。また、電線カバー５０がハウジング２０に取り付けられると、電線カバー５０の両被覆部５３及び閉塞部５２がホルダ６０の周壁６２に適合して外嵌される（図１及び図２を参照）。
【００４２】
一方、電線カバー５０の取り付け前に、ホルダ６０がハウジング２０に正規に取り付けられず、ホルダ６０がハウジング２０の筒部２２に対して傾いた半嵌合の状態で設置されている場合には、ホルダ６０の一部が電線カバー５０の取り付け経路に入り込み、電線カバー５０がホルダ６０と干渉してハウジング２０に対する電線カバー５０の取り付けが規制されることになる。したがって、電線カバー５０の取り付けが規制されることをもって、ホルダ６０が正規に取り付けられていないことを知ることができる。この場合、筒部２２のホルダロック部３８がホルダロック受部６７に嵌り込む位置に至らずに周壁６２の先端部の内面に干渉し、周壁６２が外側に開き変形することで、その開き変形する周壁６２に電線カバー５０の被覆部５３が干渉することもある。
【００４３】
また、電線カバー５０がハウジング２０に取り付けられるに伴い、電線引出面６６から引き出された各電線１００が電線カバー５０内で屈曲させられ、導出口５４を通して幅方向一端外方に導出させられる（図２を参照）。このとき、各電線１００の一部が電線カバー５０の開口部５５を通して視認可能に露出して配置される。
【００４４】
続いて、電線カバー５０の開口部５５に幅方向一端外方から図示しない作業者の指などが差し入れられ、開口部５５の各電線１００が前後縁部５６に寄って略Ｕ字形に湾曲するように屈曲させられる。作業者の指が開口部５５の前後縁部５６から弧状縁部５８に亘る範囲に当接することにより、各電線１００が、取付部５９側にコンパクトに寄せ集められ、取付部５９に沿って幅方向に配置された状態となる。その後、取付部５９の両リブ７１間に結束バンド７５が巻き付けられることにより、結束バンド７５を介して各電線１００が取付部５９に結束して保持される。
【００４５】
以上説明したように、本実施例１によれば、ホルダ６０がハウジング２０の筒部２２に外嵌される周壁６２を有し、筒部２２に対して周壁６２が傾いた状態となる不正姿勢で設置されている場合には、電線カバー５０がホルダ６０に干渉してハウジング２０に対する取り付け動作が規制されるため、電線カバー５０の取り付け動作が規制されることをもってホルダ６０が不正姿勢で設置されていることを知ることができ、ホルダ６０が不正姿勢のまま放置される事態を回避することができる。
【００４６】
また、筒部２２に対するホルダ６０の周壁６２の取り付けの向きが正規と逆向きであると、周壁６２の嵌合溝６８にカバーロック部３９が嵌合できないため、電線カバー５０が取り付けられる前に、ホルダ６０が逆向き姿勢で誤って取り付けられる事態を未然に防止することができる。また、こうしたホルダ６０の誤取り付けが電線カバー５０を係止するカバーロック部３９によって防止されるため、カバーロック部３９とは別に専用の誤取付防止構造が設けられるよりも、構成を簡素化することができる。
【００４７】
また、カバーロック部３９には、ハウジング２０に電線カバー５０を固定するロック機能とハウジング２０に対するホルダ６０の誤取り付けを防止する誤取付防止機能とがまとめて備えられているため、ロック機能と誤取付防止機能とが別々の部位に設けられるよりも、構造を簡素化することができ、コストを削減することができる。
【００４８】
また、カバーロック部３９が、シール部材８０を収容する筒部２２の一部として構成されているため、カバーロック部３９を設けるに際して特別な部位を新設する必要がなく、構造をより簡素化することができる。
【００４９】
また、ホルダ６０には嵌合溝６８が凹設され、嵌合溝６８にカバーロック部３９が嵌合されて、ホルダ６０の傾きが矯正されるため、ホルダ６０の傾き矯正を、カバーロック部３９を利用して行うことができ、構造のさらなる簡素化を図ることができる。
【００５０】
また、電線カバー５０の取り付け時に、開口部５５に作業者の指などを差し入れ、その状態で開口部５５に露出する各電線１００の一部を取付部５９に寄せるように押圧することにより、各電線１００を容易にまとめることができるため、その後、取付部５９に結束バンド７５を取り付ける作業を円滑に行うことができる。また、各電線１００をまとめる際に、開口部５５の弧状縁部５８に指などを支障なく押し当てることができるため、作業を円滑に進めることができる。
【００５１】
＜他の実施例＞
以下、他の実施例を簡単に説明する。
（１）シール部材を要件としない発明の場合、電線引出面がハウジング本体の後面で構成されるものであってもよい。
（２）各電線を取付部に結束して取り付ける作業を、開口部に治具を差し入れて行ってもよい。
（３）相手ハウジングのフード部は、上述の実施例１で記載したコネクタ（大型のコネクタ）のハウジングと対応する一つのみで構成されるものであってもよい。
【符号の説明】
【００５２】
１０Ａ、１０Ｂ…コネクタ
２０…ハウジング
２１…ハウジング本体
２２…筒部
２７…キャビティ
３９…カバーロック部（誤取付防止部）
５０…電線カバー
５１…背板部
５３…被覆部
５５…開口部
５８…弧状縁部（曲線状に延出する部分）
５９…取付部
６０…ホルダ
６１…後壁
６２…周壁
６５…貫通孔
６６…電線引出面
６８…嵌合溝
７３…ハウジングロック部
７５…結束バンド（固定手段）
８０…シール部材
８２…シール孔
９０…端子金具
１００…電線
２００…相手ハウジング
３００…コネクタ本体
【図１】
2016207416.tif 000003
【図２】
2016207416.tif 000004
【図３】
2016207416.tif 000005
【図４】
2016207416.tif 000006
【図５】
2016207416.tif 000007
【図６】
2016207416.tif 000008
【図７】
2016207416.tif 000009
【手続補正書】
【提出日】平成28年2月9日(2016.2.9)
【手続補正１】
【補正対象書類名】明細書
【補正対象項目名】００３４
【補正方法】変更
【補正の内容】
【００３４】
両被覆部５３には、開口部５５と近接する位置に、図１に示すように、上下方向（両被覆部５３の対向方向）で対をなす弾性ロック受部７２が設けられている。弾性ロック受部７２は、全体として矩形孔状をなし、内部に、弾性ロック部４１のロック突起４３が嵌まり込むことが可能とされている。また、図２に示すように、閉塞部５２には、ハウジングロック部７３が設けられている。ハウジングロック部７３は、全体として矩形孔状をし、内部に、カバーロック部３９が嵌り込むことが可能とされている。
【手続補正２】
【補正対象書類名】明細書
【補正対象項目名】００３５
【補正方法】変更
【補正の内容】
【００３５】
電線カバー５０は、ハウジングロック部７３にカバーロック部３９が嵌り込み、弾性ロック受部７２に弾性ロック部４１のロック突起４３が嵌り込むことにより、ハウジング２０に離脱規制された状態で保持される。電線カバー５０がハウジング２０に取り付けられた状態では、図１に示すように、電線カバー５０の前端部がホルダ６０の周壁６２に外嵌され、両被覆部５３及び閉塞部５２が周壁６２の外面に沿って配置されるようになっている。